(57)【要約】【課題】      玉網の柄を容易に抜き差しが出来ると共に確実に保持できる玉網保持具を提供することである。【解決手段】  玉網保持具１はベルト２に取り付けられ、玉網保持具１は筒状の保持部材３が鈎部材４に鋲１０で回動自在に係止されている。  玉網５には柄６が取り付けられている。  玉網５と柄６の重心位置より玉網５側の柄６の外周に係止部材７が取り付けられている。  玉網５の柄６が保持部材３に差し込まれると、係止部材７の外径によって係止部材７が保持部材３の開口の縁や開口の中に係止される。【選択図】        図４
2006262857.tif 000002
【特許請求の範囲】
【請求項１】
玉網の柄を差し込み保持する筒状の保持部材と前記柄の外周適宜位置に取り付けて前記筒状の保持部材に係止する係止部材を有することを特徴とする玉網保持具。
【請求項２】
係止部材は玉網の柄の外周に巻回可能な係止部と該係止部を玉網の柄に巻回した状態を維持するストッパ−を有することを特徴とする請求項１記載の玉網保持具。
【請求項３】
筒状の保持部材は筒部の内側に係止部材が当接する受け部を設けたことを特徴とする請求項１記載の玉網保持具。
【発明の詳細な説明】
【技術分野】
【０００１】
本発明は、玉網の柄の適宜位置を保持部材に係止できる玉網保持具の改良に関する。
【背景技術】
【０００２】
従来短い柄の玉網は釣の最中は腰に取り付けたベルト又はベルトの背中部に設けられた背当てパットの内側に柄の端部から差し込んで保持していた。
しかし、身体とベルトまたは背当てパットの間に柄を差し込むと、抜き差しが難しかった。
また、特許文献１のようにベルトに回動自在に支持されたΩ字形のホルダ−に柄と枠が係止される例がある。
しかし、玉網の柄が長くなると下方に柄が突出し取り出しにくいという欠点がある。
【特許文献１】実開平７−５３６８号公報
【発明の開示】
【発明が解決しようとする課題】
【０００３】
解決しようとする問題点は、長い柄の玉網ではΩ字形のホルダ−に確実に保持することが出来ないことである。
【０００４】
本発明の目的は前記欠点に鑑み、玉網の柄を容易に抜き差しが出来ると共に確実に保持できる玉網保持具を提供することである。
【課題を解決するための手段】
【０００５】
本発明の請求項１は、玉網の柄を差し込み保持する筒状の保持部材と前記柄の外周適宜位置に取り付けて前記筒状の保持部材に係止する係止部材を有することを要旨とするものである。
本発明の請求項２は、係止部材は玉網の柄の外周に巻回可能な係止部と該係止部を玉網の柄に巻回した状態を維持するストッパ−を有することを要旨とするものである。
本発明の請求項３は、筒状の保持部材は筒部の内側に係止部材が当接する受け部を設けたことを要旨とするものである。
【発明の効果】
【０００６】
本発明により、柄が長い玉網でも保持部材の中から玉網の柄が引き抜き出し易く、玉網の柄が筒状の保持部材に確実に保持できる。
【発明を実施するための最良の形態】
【０００７】
玉網保持具１はベルト２に取り付けられている。
玉網保持具１は筒状の保持部材３が鈎部材４に鋲１０で回動自在に係止されている。
玉網５には柄６が取り付けられている。
玉網５と柄６の重心位置より玉網５側の柄６の外周に係止部材７が取り付けられている。
玉網５の柄６が保持部材３に差し込まれると、係止部材７の外径によって係止部材７が保持部材３の開口の縁や開口の中に係止される。
【実施例１】
【０００８】
以下、図示の実施例によって本発明を説明すると、図１から図４は第１実施例で、図１はベルトに玉網の柄が保持された玉網保持具の斜視図、図２（ａ）は保持具の背面図で（ｂ）は保持具の断面側面図、図３は係止部材の斜視図、図４は玉網の柄が保持された玉網保持具の断面側面図である。
【０００９】
玉網保持具１はベルト２に取り付けられている。
玉網保持具１は筒状の保持部材３が鈎部材４に鋲１０で回動自在に係止されている。
玉網５には柄６が取り付けられている。
玉網５と柄６の重心位置より玉網５側の柄６の外周に係止部材７が取り付けられている。
玉網５の柄６が保持部材３に差し込まれると、係止部材７の外径によって係止部材７が保持部材３の開口の縁や開口の中に係止される。
【００１０】
筒状の保持部材３はその内側を上下方向に貫通する孔Ｈを有し、上下２つの円錐状の筒部３ａ、３ｂが傾斜した中間部３ｃで連結された形状に形成され中間部３ｃによって保持部材３の孔Ｈの内側に度当りＤが形成されている。
孔Ｈは玉網５の柄６を挿通可能で、最も継の小さい円錐状の筒部３ｂの下側の開口径ａは少なくとも使用される玉網５の柄６の外径ｂより大きく形成されている。
円錐状の筒部３ａ、３ｂ及び中間部３ｃの内周は何れも傾斜して下方になるにつれて径が小さくなっているので係止部材７が当接する受け部α、β、γとすることが出来る。
鈎部材４は保持部材３の保持部４ａと一対のＵ字状の腕部４ｂと鈎部４ｃで形成されている。
保持部材３の円錐状の筒部３ａに透孔３ｄが穿設されて鋲１０が挿通され、保持部４ａの透孔４ｃに鋲１０が挿通されてカシメにより抜け止めされて鈎部材４が保持部材３に回動自在になるように取り付けられている。
筒部３ａと保持部４ａの間の鋲１０外周にカラ−１１が嵌められている。
鈎部４ｃはベルト２に引っ掛けるように取り付けられる。
柄６は竿管１本で構成してもよいし、複数本を振り出し式に構成してもよい。
係止部材７は玉網５の柄６の外周に巻回可能な合成樹脂や合成ゴム等で形成したＣ字形状の係止部７ａと係止部７ａを柄６に巻回した状態を維持するストッパ−８で構成されている。
ストッパ−８は帯状バンド８ａの一端が係止部７ａに固定され、帯状バンドの両端の表裏に互いに係合可能な面ファスナ−等の係止具８ｂ、８ｃが固定されている。
【００１１】
玉網保持具１が使用される時は、釣人の腰にベルト２が装着され、ベルト２に鈎部材４の腕部４ｂが係止されて鈎部４ｃで掛け止めされる。
次に玉網５の柄６の外周に係止部材７の可撓性を有する部材からなるＣ字形状の係止部７ａが巻回され、その外周をストッパ−８で係止されて巻回した状態が維持される。
係止部材７が柄６に取り付けられる位置は、玉網５の下方側の玉網５と柄６の重心位置近傍が好ましい。
係止部材７の外径は使用される柄６の外径によって異なる。
係止部材７が取り付けられた玉網５の柄６が筒状の保持部材３の中に挿入され、係止部材７が当接される位置で係止される。
係止部材７の外径によって筒状の保持部材３の円錐状の筒部３ａの開口の上縁の上に係止部材７が載る場合もあるし、円錐状の筒部３ａの開口の中にはまり込んで当接して係止される場合や、中間部３ｃの内側の度当りＤの上部に当接して係止される場合もある。
筒状の保持部材３の中に玉網５の柄６が挿入されて柄６の長手方向の適宜位置に取り付けた係止部材７が係止されていると、釣り中に玉網５の柄６が筒状の保持部材３の中から抜け出すことがなく、また、柄６がながくても保持部材３の下方へ突出する長さを調節できて柄６がじゃまにならず、さらに柄６を保持部材３から引き抜きやすくなる。
【００１２】
前記のように玉網保持具１が構成されていると、保持部材３の中から玉網５の柄６が引き抜き出し易く、釣り中に玉網５の柄６が筒状の保持部材３の中から抜け出すことがない。
【実施例２】
【００１３】
図５は第２実施例で、図５（ａ）は保持具の背面図で（ｂ）は保持具の断面側面図である。
【００１４】
第２実施例では、筒状の保持部材３′が段差のない細長い円錐状の筒部３ｅで形成され、円錐状の筒部３ｅの下側の開口径は少なくとも使用される玉網５の柄６の外径より大きく形成されている。
円錐状の筒部３ｅの内側全体が係止部材７が当接する受け部δとなる。
他の構成は前記第１実施例と略同一である。
【実施例３】
【００１５】
図６は第３実施例で、図６は保持具の断面側面図である。
【００１６】
第３実施例では、筒状の保持部材３″が上下の外径及び内径が等径の筒部３ｆに形成されて内側の中間に内周に突出する受け部３ｇが形成されている。
筒部３ｆの開口径は少なくとも使用される玉網５の柄６の外径より大きく形成されている。
他の構成は前記第１実施例と略同一である。
【産業上の利用可能性】
【００１７】
本発明は玉網保持具全般に利用できる。
【図面の簡単な説明】
【００１８】
【図１】第１実施例で、ベルトに玉網の柄が保持された玉網保持具の斜視図である。
【図２】同（ａ）は保持具の背面図で（ｂ）は保持具の断面側面図である。
【図３】同係止部材の斜視図である。
【図４】同玉網の柄が保持された玉網保持具の断面側面図である。
【図５】第２実施例で、（ａ）は保持具の背面図で（ｂ）は保持具の断面側面図である。
【図６】第３実施例で、保持具の断面側面図である。
【符号の説明】
【００１９】
１  玉網保持具
３、３′、３″  筒状の保持部材
３ａ、３ｂ、３ｅ、３ｆ  筒部
α、β、γ、δ、３ｇ  受け部
５  玉網
６  柄
７  係止部材
７ａ  係止部
８  ストッパ−
【図１】
2006262857.tif 000003
【図２】
2006262857.tif 000004
【図３】
2006262857.tif 000005
【図４】
2006262857.tif 000006
【図５】
2006262857.tif 000007
【図６】
2006262857.tif 000008